(57)【要約】  本発明は、自動車用ロックを作動させる為の方法および自動車の為のロック装置に関し、自動車の為のロック装置は、作動レバー（４）、ロック（２）、作動レバー（４）およびロック（２）の間に配置されたボーデンケーブル（５，６）を備え、ロック（２）は、作動レバー（４）によって、ボーデンケーブル（５，６）および機能ユニット（３）の助けを借りて作動可能になり、機能ユニット（３）は、ボーデンケーブル（５，６）上に配置され、電気駆動装置（１４）を備える。【選択図】  図１
2019533105.tif 000002
【特許請求の範囲】
【請求項１】
作動レバー（４）、ロック（２）、前記作動レバー（４）および前記ロック（４）の間に配置されたボーデンケーブル（５，６）を備える自動車の為のロック装置（１）において、
前記ロックは、前記作動レバー（４）によって、前記ボーデンケーブル（５，６）および機能ユニット（３）の助けを借りて作動可能になり、前記機能ユニットは、前記ボーデンケーブル（５，６）上に配置され、電気駆動装置（１４）を備える、ロック装置（１）。
【請求項２】
ボーデンケーブルコア（１０）の移動は、機能ユニット（３）によって防止され、前記ボーデンケーブルコア（１０）を制動できることを特徴とする、請求項１に記載の自動車の為のロック装置（１）。
【請求項３】
前記ボーデンケーブルコア（１０）を、前記ボーデンケーブルコア（１０）の移動中に制動できることを特徴とする、請求項２に記載のロック装置（１）。
【請求項４】
前記ボーデンケーブルコア（１０）を前記機能ユニット（３）によってクランプすることができることを特徴とする、請求項２または３に記載のロック装置（１）。
【請求項５】
前記機能ユニット（４）はスライダ（１７，３０）を有し、前記電気駆動装置（１４）によって前記スライダ（１７，３０）を移動できることを特徴とする、請求項２〜４のいずれか一項に記載のロック装置（１）。
【請求項６】
少なくとも一つの制動レバー（２１，２８）を前記スライダ（１７，３０）によって移動させることができ、前記レバー（２１，２８）によって前記ボーデンケーブルコア（１０）を直接および／または間接に制動させることができることを特徴とする、請求項５に記載のロック装置。
【請求項７】
前記スライダ（１７，３０）は、制御用外形部（２３）を有し、前記レバー（２１，２８）の移動を制御できることを特徴とする、請求項５または６に記載のロック装置（１）。
【請求項８】
前記スライダ（１７，３０）は、前記電気駆動装置（１４）を経て、少なくとも一つの伝達レベルによって駆動可能になることを特徴とする、請求項５〜７のいずれか一項に記載のロック装置（１）。
【請求項９】
前記レバー（２１，２８）は、クランプおよび／または制動装置の一部であることを特徴とする、請求項５〜８のいずれか一項に記載のロック装置（１）。
【請求項１０】
前記ボーデンケーブルコア（１０）は、好ましくは、少なくとも一つの側面によって、更により好ましくは、２つの側面によって制動可能であることを特徴とする、請求項２〜９のいずれか一項に記載のロック装置（１）。
【請求項１１】
前記機能ユニット（３）は、センサ信号、特に、前記自動車の前記近傍を検出するセンサ信号によって作動可能になることを特徴とする、請求項２〜１０のいずれか一項に記載のロック装置（１）。
【請求項１２】
自動車の為の、特に、請求項１〜１１のいずれか一項に記載のロック装置（１）を作動させる方法において、
ロック（２）は、ボーデンケーブル（５，６）の助けを借りて、作動レバー（４）によって作動され、前記作動レバー（４）が作動するとき、前記自動車の前記近郷は、少なくとも一つのセンサによってモニタされ、前記センサの制御信号によって、障害および／または可能な衝突を検出した後、機能ユニットが作動可能になり、前記ボーデンケーブルコアの移動が、前記ボーデンケーブル上に配置された機能ユニット（３）によって制動可能になる、方法。
【請求項１３】
作動レバー（２）、ロック（５）、前記作動レバー（２）および前記ロック（５）の間に配置されたボーデンケーブル（３，８，９）において、
前記ロック（５）は前記ボーデンケーブル（３，８，９）の助けを借りて、前記作動レバー（２）および機能ユニット（４）によって作動可能になり、前記機能ユニット（４）は、前記ボーデンケーブル（３，８，９）上に配置され、電気駆動装置（１４）を有し、前記ロック（５）は、前記機能ユニット（４）によって作動可能になることを特徴とする、請求項１に記載の自動車の為のロック装置（１）。
【請求項１４】
前記ボーデンケーブルコア（６）および前記ボーデンケーブルカバー（８，９）の少なくとも一部の間の相対移動が、前記機能ユニット（４）によって生み出されることを特徴とする、請求項１３に記載のロック装置（１）。
【請求項１５】
前記機能ユニット（４）は、ボーデンケーブルカバー（８，９）の少なくとも一部の為に、少なくとも一つのガイド（１３）、特に、長手方向に移動可能なガイドを有することを特徴とする、請求項１３または１４に記載のロック装置（１）。
【請求項１６】
前記機能ユニット（４）は、スライダ（１７）を有し、それによって、前記スライダ（１７）は、前記電気駆動装置（１４）によって移動可能になることを特徴とする、請求項１３〜１５のいずれか一項に記載のロック装置（１）。
【請求項１７】
前記スライダは、伝達レベル（１５）によって移動可能になることを特徴とする、請求項１３〜１６のいずれか一項に記載のロック装置（１）。
【請求項１８】
前記スライダ（１７）は、スピンドル伝達装置（１６，２１）によって移動可能になることを特徴とする、請求項１３〜１７のいずれか一項に記載のロック装置（１）。
【請求項１９】
前記ボーデンケーブルカバー（８，９）の前記部品は、前記機能ユニット（４）によって拡張可能であり、特に、対向する方向に移動可能であることを特徴とする、請求項１３〜１８のいずれか一項に記載のロック装置（１）。
【請求項２０】
前記機能ユニット（４）は、一側面に、ボーデンケーブルカバー（８）の前記第１部品の為に固定収納部（１１）を有し、前記機能ユニット（４）は、反対側面に、前記ボーデンケーブルカバー（９）の前記第２部品の為にガイドを有し、前記ボーデンケーブルカバー（９）の前記第２部品は、前記スライダ（１７）によって、前記ボーデンケーブルカバー（１０）の前記第１部品に対して移動可能であることを特徴とする、請求項１３〜１９のいずれか一項に記載のロック装置（１）。
【請求項２１】
前記作動レバー（２）は、前記作動レバー（２）の作動を検出する為の検出手段、特に、マイクロスイッチおよび／またはセンサを有し、それによって、前記機能ユニット（４）は、前記検出手段によって制御可能になることを特徴とする、請求項１３〜２０のいずれか一項に記載のロック装置（１）。
【請求項２２】
請求項１〜２１のいずれか一項に記載の、自動車（５）の為のロック装置（１）を作動させる方法において、
作動レバー（２）が作動され、前記作動レバー（２）の前記作動が検出手段によって検出され、前記検出手段が信号を発生させ、前記信号は、ロック（５）が、機能ユニット（４）によって行われる移動によって開錠されるように、前記機能ユニット（４）を制御する、方法。
【請求項２３】
ハウジング（４１）、少なくとも領域毎に前記ハウジング（４４）の内外に移動可能な可動作動手段（４５）を有し、前記作動手段（４５）は、前記ハウジング（４４）内の開口部および前記開口部（５６）を包囲する少なくともシール（５７）を通って移動可能である、アクチュエータ（４１）であって、
前記開口部（５７）は、リング状密封キャップ（５８）によって密封可能であり、前記リング状密封キャップ（５８）は、前記作動手段（４５）を包囲し、前記ハウジングと相互作用し、それによって、前記作動手段（４５）は、前記密封キャップ（５８）を通って移動可能になることを特徴とする、請求項１に記載のアクチュエータ（４１）。
【請求項２４】
前記シール（５７）は、前記ハウジング（４４）内に完全に収容されることを特徴とする、請求項２３に記載のアクチュエータ（４１）。
【請求項２５】
前記密封キャップ（５８）は、前記ハウジング（４４）と相互作用するバヨネット形式ロックバー（５９）によって連結可能であることを特徴とする、請求項２３または２４に記載のアクチュエータ。
【請求項２６】
前記作動手段（４５）は、シーラント（６５）を収容するため、少なくとも一つの収容領域、特に、リングナット（６７）を有することを特徴とする、請求項２３〜２５のいずれか一項に記載のアクチュエータ（１）。
【請求項２７】
前記密封キャップ（５８）は、シーラント（６５）を収容するため、少なくとも一つの収容領域、特に、リングナット（６２）を有することを特徴とする、請求項２３〜２６のいずれか一項に記載のアクチュエータ（１）。
【請求項２８】
前記シーラント（６５）は、前記作動手段（４５）および／または前記密封キャップ（５８）のうち少なくとも一つの収容領域（６２，６７）内で耐久性があり、それによって、前記シーラント（６５）は、前記作動手段（４５）の移動に追従可能に形成されることを特徴とする、請求項２〜６のいずれか一項に記載のアクチュエータ（１）。
【請求項２９】
前記シーラント（６５）は、ベローズ（bellows）であることを特徴とする、請求項２３〜２８のいずれか一項に記載のアクチュエータ（１）。
【請求項３０】
前記作動手段（４５）は、ボーデンケーブル（４２，４３）の為の収納部、特に、密封収納部を有することを特徴とする、請求項２３〜２９のいずれか一項に記載のアクチュエータ（１）。
【請求項３１】
ボーデンケーブル（４２，４３）のボーデンケーブルコア（４６）は、前記アクチュエータ（４１）を通って自由に案内可能であることを特徴とする、請求項２３〜３０のいずれか一項に記載のアクチュエータ（１）。
【請求項３２】
前記ハウジング（４４）は、前記作動手段（４５）に沿って変化する横断面形状を有し、
それによって、前記ハウジング（４４）の高さは、前記作動手段（４５）に対して連続して増加し、特に、ハウジング用カバーを支持する為の傾斜レベル（Ｅ２）を生じさせることができることを特徴とする、請求項２３〜３１のいずれか一項に記載のアクチュエータ（１）。
【請求項３３】
ハウジング（７８）、特にハウジングシェル（８７）および少なくとも一つのハウジング用カバー、電気駆動装置（７２）を有する、自動車の為のアクチュエータ（１）において、それによって、作動手段（７５）は、前記電気駆動装置（７２）を経て前記ハウジング（７８）の内外に移動可能であり、前記作動手段（７５）は、少なくともスピンドル駆動装置によって移動可能である、自動車の為のアクチュエータ（１）であって、
前記スピンドル（７４）の少なくとも一つの収納部（８３，８４）が、前記ハウジング（７８，８７）の凹部（８８）へと摺動可能であることを特徴とする、請求項１に記載のアクチュエータ（１）。
【請求項３４】
前記スピンドル（７４）は、前記ハウジング（７８，８７）内に２つの収納部（８３，８４）を有し、それによって、少なくとも一つの収納部（８３，８４）が、ベアングスリーブ（８３，８４）を有することを特徴とする、請求項３３に記載のアクチュエータ（１）。
【請求項３５】
少なくとも一つのベアリングスリーブ（８３，８４）は、前記スピンドル（７４）、特に、捩りに抵抗力があるように付けられることを特徴とする、請求項１３に記載のアクチュエータ（１）。
【請求項３６】
前記ベアリングスリーブ（８４）は、前記スピンドル（７４）および／または前記ハウジング（７８，８７）の材料よりも高い強度を有する材料で作られていることを特徴とする、請求項３４または３５に記載のアクチュエータ（１）。
【請求項３７】
前記ベアリングスリーブ（８３，８４）は、金属材料から形成されていることを特徴とする、請求項３３〜３６のいずれか一項に記載のアクチュエータ（１）。
【請求項３８】
前記ベアリングスリーブ（８３，８４）は、領域毎に、少なくとも一つのテーパが付けられた径（ｄ、Ｄ）を有することを特徴とする、請求項３３〜３７のいずれか一項に記載のアクチュエータ（１）。
【請求項３９】
前記ベアリングスリーブ（８３，８４）は、前記ハウジング（７８，８７）内の前記スピンドル（７４）の接触領域（９５，９８）に向かって、前記スピンドル（７４）の軸方向において径（ｄ，Ｄ）にテーパが付けられていることを特徴とする、請求項３４〜３８のいずれか一項に記載のアクチュエータ（１）。
【請求項４０】
前記ベアリングスリーブ（８３，８４）は、前記スピンドル（７４）を横切る第１円筒状領域と、径（ｄ、Ｄ）内にテーパが付けられる第２領域とから形成されていることを特徴とする、請求項３４〜３９のいずれか一項に記載のアクチュエータ（１）。
【請求項４１】
前記スピンドル（７４）および前記ベアリングスリーブ（８３，８４）は、ボーデンケーブルコアの為の通路開口部を有することを特徴とする、請求項３４〜４０のいずれか一項に記載のアクチュエータ。
【請求項４２】
前記スピンドル（７４）の少なくとも一つの収納部（８３，８４）、接触領域（９５，９８）は、ハウジングカバーから、少なくとも領域毎に形成されていることを特徴とする、請求項３３〜４１のいずれか一項に記載のスピンドル駆動装置。
【発明の詳細な説明】
【説明】
【０００１】
本発明は、自動車の為のロック装置および自動車用ロックの作動の為の方法に関し、作動レバーと、ロックと、作動レバーおよびロックの間に配置されたボーデンケーブルとを備え、ロックは、ボーデンケーブルおよび機能ユニットの助けを借りて、作動レバーによってロックを作動させることができ、機能ユニットは、ボーデンケーブルに配置され、電気駆動装置を備える。
【０００２】
最近の自動車を見ると、ボーデンケーブルは、多くの方法で使用されている。ボーデンケーブルが提供する利点は、たとえば、ドアロック、フラップ用ロック、フード用ラッチのような機能要素がボーデンケーブルによって遠隔で操作できる点である。自動車内のアクセスしにくい領域にボーデンケーブルを敷設することができる容易さから、ボーデンケーブルは、大きな力を伝達することができるという利点を提供する。自動車におけるボーデンケーブルの例は、たとえば、DE 100 46 189 B4に開示されている。自動車の内側に配置された操作装置は、この例では作動レバー内で旋回できるように形成されているが、ボーデンケーブルを経てドア用ロックに連結されている。操作装置を作動させるとき、ドア用ロック内で旋回できるように収容されているレバーは、ボーデンケーブルコアを使用して作動される。
【０００３】
自動車におけるボーデンケーブルの他の用途は、EP 0 153 978 B1に開示されている。この開示は、フード用ラッチを作動させる為のボーデンケーブルの使用に関し、それによって、ボーデンケーブルは自動車内にしっかりと収容され、フード用ラッチは、自動車内側に配置された操作要素によって開錠可能になる。フード開錠の単なる機能に加えて、この後方は、ボーデンケーブル上に配置された二重ロックを開示する。二重ロックは、電気駆動装置を備えた機能ユニットから成る。ボーデンケーブルは、分岐された方式で設計され、ブラケットを備え、このブレケットは、機能ユニットをボーデンケーブルに組み込む為に、ボーデンケーブルコアに固定されている。ブラケットは、ボーデンケーブルが、正常状態において手動で操作できるようにボーデンケーブル上に配置されている。二重ロックを達成するために、機能ユニットは屋根瓦状要素を有し、この屋根瓦状要素は、ボーデンケーブルコアにわたって、ブラケットの隣りに配置できるので、ブラケットの移動を確実に防止できる。そのため、機能ユニットは、ボーデンケーブルの機能性を防止することができ、これが、フードの開錠を防止する。
【０００４】
DE 197 10 531 A1は、電気駆動装置によってアンロックが可能な自動車ドア用ロックを開示する。爪部は、ウォーム伝達装置およびレバー機構を経てキャッチ部の接触領域から移動できる。電気駆動装置によってアンロック可能なロックも、電気ロックまたはｅロックとして知られている。汚れ、温度関連事故または故障が接触領域から爪部が電気駆動装置によって移動することを妨げる場合、その公報は、電気駆動装置がその回転方向を変更する緊急操作を開示する。電気モータの回転方向の反転には、爪部と接触するレバー機構に作用するように、異なる伝達比を要する。電気駆動装置の反対方向の移動に対する伝達比は、著しく大きな減速比を有するので、より大きな緩みトルクがレバーに、したがって、間接的に爪部に作用することがある。
【発明の概要】
【０００５】
本発明は、現状技術の欠点を克服する自動車の為の改善されたロック装置およびロック装置を作動させる方法を提供することを目的とする。さらに、本発明は、電気的に作動されるロックの為の安全装置を提供することを目的とするが、この安全装置は、自動車の近傍に応じて、ロック装置の作動を妨げるか、自動車の運転者に障害について警告する。また、本発明は、自動車の為のロック装置および作動方法の為に、構造的に単純かつ費用対効果の良い解決策を提供することを目的とする。
【０００６】
本発明によれば、この目的は、独立形式請求項の特徴部によって解決される。本発明の有利な設計は、従属形式請求項で特定されている。留意すべきことは、本書に記載された例示的実施形態が限定されるものではなく、説明および従属形式請求項に記載された様々な特徴部の可能性があることである。
【０００７】
ロック装置に関し、本発明の目的は、自動車の為のロック装置を提供することによって解決されるが、このロック装置は、作動レバー、ロック、作動レバーおよびロックの間に配置されたボーデンケーブルを備え、ロックは、ボーデンケーブルおよび機能ユニットの助けを借りて、作動レバーによって作動可能であり、機能ユニットは、ボーデンケーブル上に配置され、電気駆動装置を備え、それによって、機能ユニットは、ボーデンケーブルコアが移動することを防止でき、ボーデンケーブルコアの移動が制動可能になる。ロック装置の発明の設計は、ロック装置が作動を防止する可能性、ロック装置の作動の制動の可能性、したがって、車両の運転者にハプティック信号を送信する可能性を作り出す。運転者にハプティック信号、すなわち、抵抗力を高める方式のフィードバックを送信することによって、運転者は、欠陥に対して知らされ、あるいは、この時点におけるロック装置の作動が不利な影響を有するであろうと警告される。障害または衝突の可能性は、たとえば、車両のセンサによって検出可能である。
【０００８】
本発明によると、ボーデンケーブルコアの移動は、制動可能である。これは、一方では、連続した制動を起こせるが、ボーデンケーブルコアの移動を遮断できることも意味する。機能ユニットは、ボーデンケーブルコアの移動がボーデンケーブルカバーに対して制動できる手段を有する。
【０００９】
本発明の実施形態変形例において、ボーデンケーブルコアは、ボーデンケーブルコアの移動中に制動可能である。そのため、機能ユニットは、たとえば、駆動装置が既にボーデンケーブルコアを作動させても、すなわち、ボーデンケーブルコアが、作動される自動車用ロックのレバーを作動させる為に使用される距離のうち少なくとも一部を既に移動したとしても、制動を開始することができる。そのため、機能ユニットを初期化する為の制御信号は、開始位置、たとえば、内側作動レバーの開始位置にリンクされていない。
【００１０】
留意すべき点は、たとえば、内側の作動レバーまたは外側の作動レバーが使用され、機能ユニットがロック内のレバーの電気的作動を可能にできる効果の為に機能ユニットを初期化または制御することである。したがって、機能ユニットは、少なくとも２つの機能を有することができる。第１機能は、ボーデンケーブルコアの更なる手動的作動を防止する為にボーデンケーブルコアを制動することであり、第２機能は、ロックの電気的開錠、たとえば、チャイルドロックの挿入またはロック機構のアンロックである。
【００１１】
ボーデンケーブルコアは、機能ユニットによってクランプ可能であり、これによって、本発明の更なる実施形態が生じる。ボーデンケーブルコアのクランプは、ボーデンケーブルカバーに対してボーデンケーブルコアを制動する有利な方法である。他方で、制動は、レバー機構によって容易に実現可能であり、たとえば、他方で、制動速度または制動力は、クランプによって簡単に変更できる。ボーデンケーブルコアのクランプは、特定のクランプ装置にリンクされていないが、クランプ効果を達成する任意の装置が考えられる。ボーデンケーブルコアをクランプする為のブレーキの選択肢のほんの一例を挙げると、考えられる選択肢には、たとえば、互いに相互作用する楔形状または斜めにされたレベル（levels）、偏心クランプ、ボートに使用されるようなカム型すべり止め（cam cleats）、ディスクおよび／またはシューブレーキ、円錐形および／または円錐形ブレーキがある。
【００１２】
本発明の他の実施形態において、機能ユニットは、スライダを有し、それによって、スライダは、電気駆動装置によって移動可能である。スライダは、制動の為に限定可能な制御を提供する選択肢を与える。一例を挙げると、スライダは、摺動運動の環境で迅速に移動することができ、たとえば、表面外形部の形式で、適切に形成されたスライダによって制動処理を明確に制御する為に使用可能である。ここで、スライダは、電気駆動装置、たとえば、伝達装置を経て、特に、伝達装置およびスピンドル駆動装置を経て駆動可能である。特に、スピンドル伝達装置の一部としてスライダの形態が、本書の好ましい実施形態である。
【００１３】
少なくとも一つのレバーが、スライダによって移動可能である場合、また、ボーデンケーブルコアがレバーによって、直接または間接的に制動可能である場合、これは、本発明の更に有利な実施形態を生じる。
【００１４】
機能ユニットのコンパクト設計は、摺動要素の相互作用、たとえば、レバー機構と組み合わされたスピンドル伝達装置の一部の形式で実現可能である。レバーの適したベアリング位置は、ボーデンケーブルコアの制動を有利な方式で調整する為に使用可能である。さらに、制動の為の伝達比は、スライダ上の制御外形部と一つ又は複数のレバーとの相互作用によって簡単に調整可能である。ボーデンケーブルコアの移動を制動および／または停止および／または遮断する為に必要な力に応じて、制動に必要な力を調整するように設計可能である。
【００１５】
スライダは、制御外形部を有利な方式で有することができるので、レバーの移動を制御できる。制御外形部は、即時の制動を可能にするが、ボーデンケーブルコアが連続して制動するように形成することも可能である。できるだけ素早くボーデンケーブルコアが制動することを可能にするため、急な制御湾曲部（curve）が好ましいので、たとえば、機能ユニットの初期化直後にボーデンケーブルコアの急制動が可能である。これは、対象物および／または車両に近づく対象物との衝突を避けるため、たとえば、車両に存在するセンサと組み合わされて機能ユニットが使用される場合に特に該当する。たとえば、サイクリストが自動車に近づき、自動車内側の運転者が、自動車内のセンサユニットおよび内側の作動レバーを作動させる、又は、作動させたく思う場合、サイクリストがドアの開放範囲に近づいていること、ボーデンケーブルコアが、制動可能であることおよび／またはブレーキ装置又は機能ユニットによって阻止可能であり、開放部とサイクリストとの衝突が避けられることを認識する。そのため、機能ユニットは、安全装置を提供し、それによって、ロックの開錠はボーデンケーブルによって防止できる。特に、そのような場合は短い応答時間が必要であり、スライダ上の、或いは、スライダおよびレバーの間の急な制御湾曲部が有利な実施形態を形成する。
【００１６】
スライダが電気駆動装置を経て、少なくとも一つの伝達レベル（transmission level）によって駆動可能である場合、これは、本発明の更なる実施形態を生じる。一方で、伝達レベルは、高い伝達比を可能にし、同時に、高い力の実現を可能にする。特に、ボーデンケーブルコアが、停止するまで制動される場合、伝達レベルは、ボーデンケーブルコア上に大きな力が作用する可能性を与える。スピンドル伝達装置と組み合わされたウォームギアレベルは、本発明の有利な実施形態を提供する。一方で、下流側のスピンドル伝達装置の移動は、その伝達装置によって限定可能であり、同時に、大きな力の比は、ウォームギア伝達装置およびスピンドル駆動装置の組合せによって実現できる。特に、スピンドル伝達装置が、スライダを制御し、あるいは、スライダ自身の一部を形成する場合、クランプ力と組み合わされて、短い応答時間が実現できる。
【００１７】
実施形態において、レバーは、クランプおよび／または制動装置の一部である。レバー自身がクランプまたは制動装置の一部を形成する場合、快適かつ構造的に好ましい実施形態の機能ユニットを実現できる。さらに、制動の為の許容誤差の低いシステムを提供することができる。レバーのスライダとの即時の初期化は、制動装置の即時の制御の利点を提供するので、機能ユニットまたはロック装置の長い耐用年数にわたって、低い許容誤差で短い応答時間を形成することができる。
【００１８】
ボーデンケーブルコアは、好ましくは片面で、更により好ましくは二面で制動可能なので、有利な方式で形成できる。前述したように、機能ユニット内のボーデンケーブルの為に、制動装置は、単一の制動システムに限定されないが、電気駆動装置によって駆動可能な任意の制動装置を形成することが可能である。片面制動は、旋回できるように収容されたレバーと共に作動するスライダによって実現されるのが好ましく、それによって、レバーは、ボーデンケーブルコアに対して直接作用可能になり、それによって、ボーデンケーブルコアをレバーによって押圧、たとえば、ハウジング壁に押し付けることができる。あるいは、機能ユニット内の制動装置が、ボーデンケーブルコアに作用する二面システムから実現できることも考えられる。ここで、たとえば、クランプシステムは、ボーデンケーブルコアをクランプできるように制動装置として利用可能であるので、機能ユニット内に収容される２つの移動可能なクランプジョイント間で制動され、たとえば、傾斜レベルとして、形成される。
【００１９】
機能ユニットは、センサ信号、特に、自動車の近傍を検出するセンサ信号によって、有利な方式で作動可能または初期化が可能である。機能ユニットまたはロック装置が、自動車におけるセンサおよび／または幾つかのセンサと共に作用する場合、機能ユニットは、自動車の安全システムの一部になり得る。機能ユニットは、センサによって決定された信号を機能ユニットに対する制御信号として使用する選択肢を実際に提供する。たとえば、環境センサは、側面ドアが開けられるとき、それが障害物に当たり得ることを検出する場合、内側作動のような機能を、制動することができ、阻止することができる。しかしながら、車両の運転者にハプティックフィードバックを与える為、たとえば、外側作動レバーが機能ユニットによって無効にすることが可能であり、ハプティックフィードバックは、たとえば、車両が完全に固定されていないこと、または、依然としてロック状態であり、たとえば、開錠を防止できることである。機能ユニットは、自動車における安全システムの一部を形成するので、自動車の快適性および安全性を高める。
【００２０】
プロセス工学の観点から、本発明の目的は、自動車用のロック装置を作動させる為の方法によって解決されるが、この方法は、ロックが、ボーデンケーブルの助けを借りて、作動レバーによって、作動され、作動レバーを作動させるとき、自動車の近傍が少なくとも一つのセンサによってモニタされ、障害を検出した後は、ボーデンケーブル上に配置された機能ユニットによって、それを防止できる。本発明の設計に係る方法は、運転者の為に包括的な安全システムを提供する可能性を作り出すので、自動車の快適性が高められ、同時に、追加の安全要素が運転者の為に利用可能になる。
【００２１】
この方法の実施形態において、ボーデンケーブルコアの移動も、いったん作動レバーの作動が初期化されると、すなわち、作動レバーが移動されると、制動可能になる。これは、ドアまたはフラップの開放が、自動車運転者にとって衝突および／または不利益をもたらし得る場合、ドアまたはフラップの開放を防止するような別の安全特徴を提供する。
【００２２】
以下、添付された図面を参照して、好ましい例示的実施形態に基づき、本発明を更に詳細に説明する。しかしながら、例示的実施形態は本発明を限定しないが、有利な実施形態を構成するにすぎないという原理が適用される。例示された特徴は、説明の更なる特徴とは別個に又は組み合わせて、また、請求項とは別個に又は組み合わせて、実行することができる。
【００２３】
第１実施形態
【００２４】
第１実施形態によると、本発明の目的は、作動レバー、ロック、作動レバーおよびロックの間に配置されたボーデンケーブルを備えた自動車の為のロック装置によって解決されるが、ロックは、ボーデンケーブルおよび機能ユニットの助けを借りて作動レバーによって作動可能であり、機能ユニットは、ボーデンケーブル上に配置され、電気駆動装置を備え、ロックは機能ユニットによって作動可能になる。機能ユニットによるロックの作動は、たとえば、ロックを独立してロックまたはアンロックすることができる。そのため、必要な全ては、ロックにおける機能の初期化の始動または調整であり、それによって、運転者は、単に、機能ユニットを作動させる衝撃または信号を直接または間接に初期化すればよい。
【００２５】
初期化は、多数の方法で起こり得る。たとえば、初期化は作動レバーによって起こり、それによって、センサまたはスイッチ手段を経て作動レバーの移動が起こることが考えられる。さらに、たとえば、初期化は、遠隔制御によって起こるので、機能ユニットがロックを作動させる制御信号を受信することが考えられる。
【００２６】
様々なロックおよび作動レバーは、自動車の為のロック装置として使用可能である。ロック装置は、たとえば、側面ドア、スライドドア、フラップまたは蓋またはカバーの近傍で、コンパクトな構造ユニットとして使用可能である。さらに、たとえばフード用ラッチ、たとえば運搬装置で見られるような補助ロックを使用することも考えられる。たとえば、ドア用ハンドルのような外側の作動レバーまたは内側の作動レバーは、作動レバーとして使用されてもよい。しかしながら、機能ユニットを初期化する為に接触感知スイッチおよび／または押しボタンまたはボタンのような感知手段を使用することも考えられる。
【００２７】
ロック装置が使用され、ボーデンケーブルは作動レバーおよびロックの間で使用される。ボーデンケーブルは、ボーデンケーブルカバーおよびボーデンケーブルコアから成り、ボーデンケーブルカバーは、分岐されており、ボーデンケーブルコアは連続して形成されている。これによって、常に手動的作動が確実になり、それによって、ボーデンケーブルコアは、たとえば、常に作動レバーを使用し、すなわち、自動車のスイッチが切られるときでさえ、常に作動レバーを使用する。ボーデンケーブルコアは、機能ユニットに挿入され、それによって、ボーデンケーブルコアは機能ユニットを両面で制限し、あるいは、ボーデンケーブルカバーは機能ユニット内で長手方向に移動できるように収容および／または収容される。ボーデンケーブルは、作動レバーをロックに積極的に連結させるので、ロックの正常な作動が可能、たとえば、作動レバーの切り替えを経て可能である。
【００２８】
機能ユニットは、電気駆動装置を含み、電気駆動装置は、制御信号を初期化または受信した後、ロックが機能ユニットによって作動可能になるように、機能ユニットを移動させる。電気駆動装置は、電気モータであるのが好ましい。電気モータが有利である理由は、それらが静かであり、広範囲に利用可能であり、自動車に簡単に仕様できるからである。そのため、ロック自身が機能ユニットによって作動される場合、ロック装置の使用は本発明によって容易になる。
【００２９】
本発明の実施形態において、相対移動は、機能ユニットによって、ボーデンケーブルコアおよび少なくとも一部のボーデンケーブルカバーの間で生み出される。少なくとも一部のボーデンケーブルカバーが機能ユニットによって作動される場合、ボーデンケーブルコアおよびボーデンケーブルカバーの間に相対移動が起こる。作動レバー自身は、通常、固定された位置にあり、すなわち、作動レバーは、停止部に抗して、バネ付勢されて適合されるのが好ましい。レバー、スライダ、作動手段は、ロック自身に配置され、ボーデンケーブルコアによって作動可能である。機能ユニットの制御のため、少なくとも一つの部品、好ましくは、機能ユニットおよびロックの間のボーデンケーブルカバーの一部が、機能ユニットによって移動されると、これが、ロック内に配置された可動レバーの移動、旋回および／または作動をもたらす。ボーデンケーブルカバーおよびボーデンケーブルコアの間の相対移動の結果、レバーがロック内で作動可能になる。このようにロック内の移動を開始する方式は、たとえば、電気開錠モジュールとして説明することができるシステムを提供するが、このシステムは、ロック装置の使用を容易にする。
【００３０】
機能ユニットを経て制御される機能ユニットおよびロックの間のボーデンケーブルカバーの一部が好ましいが、それにより、ボーデンケーブルコアの相対位置は、ボーデンケーブルカバーまで移動される。また、もちろん、機能ユニットおよび作動レバーの間の相対位置が機能ユニットによって移動され、それが、ロック内に配置された可動レバーの作動を最終的にもたらすことも考えられる。ボーデンケーブル自身は、ロック内およびボーデンケーブルカバーを備えた作動レバーの領域内に固定ベアリングを見いだし、すなわち、ボーデンケーブルカバーは、たとえば、ロックのハウジング内に固定されて収容可能であり、たとえば、ネジによって、作動レバーの領域内に固定可能である。作動のためには、ボーデンケーブルカバーおよび機能ユニットによってボーデンケーブルコアを作動させることが可能でなければならない。これが特に必要である理由は、たとえば、電力低下の場合には、作動レバーの手動的作動を経たロックの作動を可能にするため、作動レバーを経たロックの手動的使用が常に保証されなければならないからである。そのため、機能ユニットは、自動車内のボーデンケーブル自身の位置を変更しないが、ボーデンケーブルコアに対するボーデンケーブルカバーの相対的長さを変更する。ボーデンケーブルカバーの拡張により、ボーデンケーブルコアは、ボーデンケーブルカバーの中に引かれ、最終的にロックを作動させることが可能になる。
【００３１】
そのため、機能ユニットも、ボーデンケーブル拡張ユニットとして説明可能である。機能ユニットによって、ボーデンケーブルカバーの相対的長さは変更可能であり、拡大可能であるが、作動レバーおよびロックの領域内の、ボーデンケーブルカバーの固定された端部位置に関しては、これにより、ボーデンケーブルカバーから突き出るボーデンケーブルコアの端部の短縮化が生じ、それによって、ボーデンケーブルカバーから突き出たボーデンケーブルコアの自由端の短縮化が確実にすることは、ボーデンケーブルコアによってロック内で移動が達成される点である。
【００３２】
本発明の他の実施形態において、機能ユニットは、ボーデンケーブルカバーの少なくとも一つの部品の為に、少なくとも一つのガイド、特に、長手方向に移動可能なガイドを有する。機能ユニット内のガイドは、ロック装置の為の高い機能的信頼性レベルを確実にする。ボーデンケーブルカバーが機能ユニットによって移動されると、それが確実にすることは、常に、ボーデンケーブルカバーが安全に案内されるので、一方では、機能ユニットによって簡単な作動が達成でき、他方では、機能的信頼性が常に保証できることである。機能ユニットのハウジングは、たとえば、ボーデンケーブルカバーが長手方向に案内可能な長手方向のガイドを都合の良い方式で有することができる。もちろん、ボーデンケーブルコアおよび関連するボーデンケーブルカバーの数によって決まるガイドの数と共に、機能ユニットに２つ以上のガイドを設けることも考えられる。そのため、本発明によると、大型運搬装置のドアに使用されるような補助的ロックおよびロックを機能ユニットによって作動できることも考えられる。一方で、たとえば、一方では、作動レバーを用いて動作するが、ボーデンケーブルは分岐しているので、ロックおよび少なくとも一つの補助ロックを機能ユニットで作動できることも考えられる。もちろん、幾つかの機能ユニットが相互作用し、それによって、第１機能ユニットがた、たとえば、ロックまたは主要ロックと相互作用し、他の機能ユニットが補助ロックと相互作用することも考えられる。
【００３３】
機能ユニットがスライダを有すると、それによって、スライダは電気駆動装置によって移動可能になり、これは、本発明の更なる実施形態を生じさせる。ボーデンケーブルカバーおよびボーデンケーブルコアの間の相対移動は、機能ユニット内に配置される摺動要素によって非常に簡単に作り出すことができる。たとえば、スライダが、機能ユニットの非作動位置においてボーデンケーブルカバーに付けられ、ボーデンケーブルコアがスライダによって案内される場合、ボーデンケーブルカバーにスライダを完全に付けることができる。その後、スライダ要素またはスライダは、可能な限り均等に分布し、ボーデンケーブルカバーにも高い荷重を作用させることができるが、これが、高レベルの機能的信頼性を保証する。さらに、スライダ要素またはスライダは、機能ユニット内に非常に良好な長手方向収納の選択肢を与えるので、機能ユニットが作動されるときには常に高レベルの機能的信頼性が保証され、連続的に一貫した力もボーデンケーブルカバーまたはボーデンケーブルコアに作用できる。
【００３４】
伝達レベルによってスライダを移動できる場合、更なる利点がある。伝達レベルの使用により提供される利点は、一方では、高い力が達成されること、他方では、限定できる速度で均一移動を生み出せることである。
【００３５】
スライダがスピンドル駆動装置によって移動できる場合が特に好ましい。スピンドル駆動装置は、スピンドルネジの傾斜に応じて、変位速度および伝達される力が限定でき調整できることから、非常に正確に調整できる左移動を簡単に達成する為に使用可能である。特に、電気モータおよびウォームギアとスライダの為のスピンドル駆動装置との組合せは、機能ユニットの設計に関して構造的に有利な実施形態を達成するため、有利な実施形態を提供する。
【００３６】
ボーデンケーブルカバーの部品が、機能ユニットによって拡大可能であり、特に反対方向に移動可能である場合、本発明の更なる実施形態が存在する。機能ユニットが、機能ユニットに関連付けられたボーデンケーブルカバーの部品を移動させることが可能になるように構成される場合、ボーデンケーブルカバーおよびボーデンケーブルコアの間の相対移動を作り出すように２つの領域が機能ユニット内で利用可能になることから、これは、非常に素早い応答時間が実現されることを可能にする。機能的な時間は、たとえば、同一設計の伝達レベルおよびスピンドル駆動装置を用いて、ボーデンケーブルコアに対するボーデンケーブルカバーの二面移動によって、たとえば、半分にすることができる。これにより、使いやすさが更に向上し、したがって、快適性が向上する。
【００３７】
本発明の他の実施形態において、機能ユニットは、ボーデンケーブルカバーの第１部品の為に一面に固定収納部を有し、機能ユニットは、ボーデンケーブルカバーの第２部品の為に他面にガイドを有し、ボーデンケーブルカバーの第２部品は、スライダによってボーデンケーブルカバーの第１部品に対して移動できる。本発明の、この好ましい実施形態は、コンパクト設計および高度な機能的信頼性という利点を提供する。一方で、固定された連結によってボーデンケーブルの第１部品のボーデンケーブルカバーと共に機能ユニットを固定する可能性があり、この固定された再配置も、ボーデンケーブルコアによる安全が案内の可能性を与える。
【００３８】
作動レバーが、作動レバーの作動を検出する為に、検出手段、特にマイクロスイッチおよび／またはセンサを有する場合、それによって、機能ユニットは、検出手段によって制御可能になり、これにより、本発明の更なる実施形態が生じる。検出手段の使用、すなわち、作動レバーの作動を検出する手段の使用は、制御信号が機能ユニットに送信されることを可能にするので、機能ユニットが初期化可能になる。検出手段は、マイクロスイッチまたは、たとえば、接触感知スイッチでもよく、作動レバーは、検出手段が作動レバーの作動を検出するまで単に作動すればよく、そのため、制御信号を機能ユニットに出すことができ、それによって、機能ユニットはロックを作動させる。この設計、特に、機能ユニットは、自動車の運転者の為の快適性を高め、使用を容易にする。運転者は、単に初期化すればよく、それによって、機能ユニットは、ロック内の実際の移動を引き継ぐ。
【００３９】
プロセス工学の観点から、本発明の目的は、自動車の為のロック装置を作動させる方法を提供することによって解決されるが、ここで、ロックは、作動レバーによって作動され、作動レバーの作動は、信号を発生させる検出手段によって検出され、その信号は、機能ユニット内で達成可能な移動によってロックが開錠されるように機能ユニットを制御する。自動車の運転者は、ロック内で作動させる移動を始動および／または開錠するため、作動レバーを用いて、スイッチのような検出手段を作動させるだけでよいことから、ロック装置を作動させる方法は、自動車における快適性を著しく高める。これにより、自動車におけるロックを非常に容易に大きな快適性で使用できる開錠モジュールを提供される。
【００４０】
第２実施形態
【００４１】
本発明の目的は、第２実施形態によれば、自動車の為のアクチュエータを提供することによって解決されるが、このアクチュエータは、ハウジング、可動性作動手段、少なくとも一つのシールを有し、可動性作動手段は、少なくとも領域毎に内外に移動可能であり、それによって、作動手段は、ハウジング内の開口部を通って移動することができ、シールは、開口部を包囲し、それによって、開口部はリング状密封キャップによって密封可能になり、リング状密封キャップは、作動手段を包囲し、ハウジングと相互作用し、それによって、作動手段は、密封キャップを通って移動できる。本発明によるアクチュエータの形成は、作動手段およびハウジングの間の包括的かつ連続した密封レベルを達成する可能性を生み出す。そのような密封は、湿気、ダストおよび／または不純物のような環境的影響物の浸透を効率的かつ恒久的に防止する。そのようにすることで、リング状密封キャップは、密封手段または密封キャップおよびハウジングの間の同一の周囲接触力の可能性を提供する。同時に、密封キャップは、一方で作動手段を収納する可能性を提供し、他方で、それを密封し続ける可能性を提供する。
【００４２】
本発明による作動手段は、電気駆動装置を含み、これは、少なくとも一つの伝達部と、たとえば、プラグソケット形式の電気的接触部と相互作用することが好ましい。作動手段は、さらに、伝達装置と相互作用するスピンドル駆動装置を含むことができる。少なくとも一つの伝達装置部分は、スピンドル駆動装置と一体的に形成可能である。スピンドル要素は、アクチュエータのハウジング内に有利な方式で収容され、弾性端部停止部と相互作用できる。電気駆動モータ、伝達装置および／またはスピンドル駆動装置の間の相互作用のため、作動手段をケース内の開口部と通って移動させることが可能である。この移動は、直線の作動させる移動を含むので、作動手段は、ハウジングの内外に移動可能である。作動手段は、移動が自動車内で実現または制御可能な任意の応用を含むことができる。さらに、作動手段自身は、他のコンポーネントと相互作用することができ、たとえば、そのコンポーネントの旋回および／または移動を可能にする。
【００４３】
作動手段は、アクチュエータのハウジング内の開口部を通して装着される。ハウジングは、複数の部品で構成されるのが好ましく、特に、二部品方式で構成され、それによって、ハウジングおよびハウジングカバーが形成されるのが好ましい。開口部は、ハウジング内に配置されるのが好ましい、シールは、開口部を完全に包囲するので、シールは連続的である。シールは、好ましくはリング状であり（すなわち、一様な直径を持ち）、密封キャップと相互作用する。アクチュエータの改善された密封を可能にするため、密封キャップは、その少なくとも開口部の領域内でリング状形態を有するので、シールおよび密封キャップの間には継目なしの一様な接触表面を達成できる。ハウジングは、シールに対して密着するように設計されるので、密封キャップもリング状であり、たとえば、ハウジング上に形状適合方式で置くことができる。密封キャップおよびハウジングの間の形状適合接続は、ハウジングに対する密封キャップの簡単な接合および接続を可能にする。密封キャップは、少なくとも一つの収容領域と、各領域毎に接合開口部とを有するので、密封キャップによって作動手段を収納および／または管理することができる。本発明によると、密封キャップおよびハウジングの相互作用は、密封キャップおよびハウジングの間のしっかりとしたシールを達成する為に使用できるので、ハウジングまたはアクチュエータの内部を環境的影響物から保護することができる。
【００４４】
本発明の実施形態において、シールは、ハウジング内に完全に収容される。ハウジング内の直接的なシールの収容は、たとえば、密封キャップの前にシールを挿入することを可能にする。完全な収容によって、ハウジング内の正確な位置にシールをしっかりと保持することができる。ハウジング内にシールを確実に規定して収容することにより、ハウジングのシールに関して高レベルの安全性が提供される。しかしながら、代替実施形態において、密封キャップ内にシールが形状適合方式で完全に保持できることも可能である。
【００４５】
ハウジングと相互作用するバヨネット形式のロックバーによって、密封キャップを有利な方式で接続することができる。密封キャップをハウジングと接続するため、ハウジング上にバヨネット方式適合および密封キャップ上に対応した開口部があると有利であることが判明した。このため、ハウジングは、ハウジング内に配置された開口部の拡張部を有することができ、そこを通って、密封キャップ上に形成されたロックバーが案内できる。密封キャップを捩ることによって、ロックバーは、ハウジング後方で係合するので、密封キャップの位置および場所を固定する。２つのロックバーは密封キャップ上に配置されるのが好ましく、これが、開口部内で２つの拡張部と協働する。しかしながら、３つ以上のロックバーが密封キャップ上に配置され、これらがハウジング内の、対応した外形部または開口部と協働することも考えられる。バヨネット適合方式も、簡単な装着と、同時に、作動手段の確実な収納を可能にするという利点を提供する。
【００４６】
作動手段が、シーラントを収容する為に、少なくとも一つの収容要理器、特に、リングナットを有する場合、これは、本発明の更なる実施形態が生じる。作動手段は、密封キャップを通って延びる。作動手段は、作動手段および密封キャップおよび／またはハウジングの間の密封のため、リングナットを有する。アクチュエータに関しては、作動手段は、アクチュエータのハウジングの内外に移動できるように収容されている。作動手段の移動を密封するため、シーラントが設けられ、これが、作動手段のリングナットと係合し、密封キャップおよび／またはハウジング上に装着可能である。好ましくは、これは弾性シーラントであり、弾性シーラントは、作動手段の移動を補償することができる、すなわち、シーラントは、作動手段の移動中、作動手段と係合されたままである。リングナットは、シーラントの為に、極めて確実かつ正確な収容領域を提供する。リングナットは、シーラントの為に形状適合式収容を提供する。
【００４７】
本発明の更に有利な設計において、密封キャップは、少なくとも一つの収容領域、特に、リングナットを有し、シーラントを収容する。密封キャップは、アクチュエータのハウジング上の作動手段の隣接した近傍に配置されることから、密封キャップ上にシーラントが直接装着されると、極めて有望な収容領域がシーラントの為に提供される。そのため、シーラントは、寸法に関して可能な限り小さく形成することができる。作動手段上の密封キャップの局所的な近接は、構造的に好ましい第１の利点を提供し、また、シーラントの為に確実かつ規定された収納または収容領域を可能にするという利点を提供する。そのため、シーラントを、密封キャップ内に位置決めすることができる一方、作動手段上のシーラントの収容部を移動させることができる。そのため、シーラントは、固定ベアリングおよび可動ベアリングを有することができる。シーラントが弾性プラスチック、好ましくは、熱可塑性ゴムから形成されることから、リングナットは、シーラントに有利な形状適合方式収容の選択肢を提供する。
【００４８】
シーラントは作動手段および／または密封キャップの少なくとも一つの収容領域内で耐久性があり、それによって、シーラントは、シーラントが作動手段の移動に追従できるように形成される場合、これは、本発明の有利な実施形態を生じる。シーラントが、作動手段の収容領域内、さらに、密封キャップの収容領域内に保持される場合、作動手段の移動を確実に密封することができる。そのため、密封キャップは、様々な機能を有する。第１に、密封キャップは作動手段を案内し、又は、収容するように使用されるので、作動手段は、規定された移動を行うことができる。第２に、密封キャップは、密封機能を有し、すなわち、キャップは、環境的影響に対してハウジングを密封する。第３に、キャップは、好ましくは、バヨネット式ロック技術を使用して、ハウジング上の確実な固定を可能にする機能を有する。第４に、密封キャップは、作動手段の為に、シーラントの為の収容部として機能する。そのため、密封キャップは、アクチュエータの多機能コンポーネントである。
【００４９】
本発明の好ましい一つの実施形態において、シーラントがベローズである場合に利点がある。これにより、ベローズは、作動手段および密封キャップの間の相対移動を補償することができるという利点を提供する。熱可塑性ゴムコンポーネント形式のベローズが好ましいが、これは、一方では、作動手段の収容部に収容可能であり、他方では、密封キャップの密封手段の収容領域に収容可能である。ベローズは、密封キャップのリングナットに固定可能である。さらに、密封キャップは、密封キャップをハウジングに容易に固定できるように、たとえば、密封キャップを囲むように配置されたバーを有してもよい。これらのバーは、好ましくは幅広く、密封キャップの周囲に沿って等間隔で配置されるので、たとえば、密封キャップを手動で装着することができる。
【００５０】
作動手段が、ボーデンケーブルのために、ベアリング、密封ベアリングを有する場合、これは、アクチュエータの実施形態を生じる。アクチュエータは、作動手段として、好ましい実施形態で使用される。この場合、作動手段は、相対移動がボーデンケーブルコアおよびボーデンケーブルカバーの間で達成できることを表す。本発明によるボーデンケーブルの再配置の話（talk）がある場合、これは、作動手段におけるボーデンケーブルカバーの収納または固定を意味するのが好ましい。ボーデンケーブルカバーは、作動手段にしっかりと連結、あるいは、ボーデンケーブルカバーがボーデンケーブルコアに対して前後に移動可能であるように作動手段にしっかりと連結されている。ここで、前後に移動可能とは、しっかりと固定された結合を意味し、ボーデンケーブルカバーおよび作動手段の間に、非積極的または形状適合的な連結が確立されているので、ボーデンケーブルカバーは、アクチュエータの内外に移動できる。ここで、ボーデンケーブルカバーの移動は、ボーデンケーブルコアとは無関係である。これは、ボーデンケーブルコアに付けられたレバーの、作動する移動がボーデンケーブルカバーによって可能であることを意味する。そのため、アクチュエータも作動モジュールとして、あるいは、特別な実施形態において、開錠モジュールとして、説明することができる。
【００５１】
ここで、ボーデンケーブルのボーデンケーブルコアは、アクチュエータを通して自由に案内可能である。ボーデンケーブルコアの、アクチュエータによる自由な案内は、作動手段および作動手段にしっかりと連結されたボーデンケーブルカバーによって、ボーデンケーブルコアに連結されたレバーまたはスライダの移動開始を可能にする。ボーデンケーブルコアがアクチュエータを通して自由に案内可能であり、たとえば、ロックのレバーにしっかりと連結される場合、レバーは、ボーデンケーブルカバーの相対移動によって移動できる。この場合、アクチュエータは、作動手段として作用し、たとえば、ロック内に配置されたレバーが、たとえば、ロック機構を直接または間接的にアンロックするのに使用できる場合、開錠モジュールとして機能できる。
【００５２】
ハウジングが、作動手段に沿って変化する横断面形状を有し、それによって、ハウジングの高さが作動手段に関して連続して増加し、特に、ハウジングカバーを支持する為の傾斜レベルが作り出される場合、本発明の更に有利な実施形態が存在する。意図された平坦表面がボーデンケーブルコアに沿って生じるレベルであって、そこから、ハウジングが密封キャップに向かって増加する上記レベルから始まり、たとえば、連結されたボーデンケーブルに向かう平坦表面に対する規準が、ボーデンケーブルのレベルから密封キャップに向かって高さを変更する、或いは、ボーデンケーブルのレベルに対する角度であるレベルになるとき、我々は傾斜レベルを参照することができる。傾斜レベルを形成することによって、一方では、密封キャップの為に大きな密封表面を提供し、他方では、ハウジングおよびハウジングカバーの間のシールの為の平面レベルを提供する。平面レベルは、平面レベルだけがカバーおよびハウジングの間に密封されるべきという利点をもたらす。ハウジングの高さは、ボーデンケーブルの第１連結側から、ハウジングを通って、ボーデンケーブルの出て行く端部まで、あるいは、ボーデンケーブルコアを通って、密封キャップまで、増加するのが好ましく、これが、ボーデンケーブルカバーの更なる部分を収容する。
【００５３】
第３実施形態
【００５４】
本発明の目的は、自動車の為のアクチュエータを提供することによって、第３実施形態により解決されるが、これは、ハウジング、特に、ハウジングシェルおよび少なくとも一つのハウジングカバー、電気駆動装置を有し、それによって、作動手段は電気駆動装置を経てハウジングの内外を移動することができ、作動手段は、スピンドル駆動装置によって少なくとも移動可能であり、それによって、スピンドルの少なくとも収納部がハウジングの凹部に挿入可能になる。ハウジングの凹部にスピンドルを格納することによって、アクチュエータのスピンドル駆動装置を安全に、規定された方法で、したがって、アクチュエータの操作上の安全性が高まるという選択肢を生み出す。操作上の安全性は、ハウジング内、好ましくは、ハウジングシェル内の凹部を通して規定された格納がスピンドルの為に達成できることによって高められる。ハウジング内の凹部は、非常に正確に設計することができるが、少なくとも２つのハウジング部品の支持点は、互いに対するハウジング許容誤差および／またはハウジング部品の連結性に依存する。さらに、規定された方法で形成可能なハウジング内の凹部または収容領域は、支持点または収容領域の許容誤差を非常に正確に設計することを可能にし、それが、支持点における再現可能な許容誤差をもたらすという点で、ハウジング内に形成されるワンピースの凹部は有利である。支持点において正確に観察されなければならない許容誤差は、移動容易性を高め、たとえば、ハウジング部品間の連結性とは無関係である。
【００５５】
本発明によるアクチュエータは、様々な応用に使用可能である。そのため、最初に説明された本願の実施例は、もちろん可能であるが、アクチュエータの作動手段を経て移動されるロックバーまたはレバーは、他の機能を行うことができる。ロックバーを用いて、たとえば、アクチュエータは、車両を固定し、たとえば、自動車の充電中に充電プロセスを固定するために、燃料給油口外蓋、収納コンパートメント、プラグをロックすることができる。本発明によるアクチュエータも、ボーデンケーブルコアおよびボーデンケーブルカバーの間の相対移動を生み出すために、ボーデンケーブルに組み込むように使用することができる。ここで、ボーデンケーブルコアは、アクチュエータを貫通し、それによって、ボーデンケーブルカバーの一端を、たとえば、アクチュエータのハウジング内に、ボーデンケーブルの他端を作動手段に固定することができる。その後、相対移動は、アクチュエータ内の作動手段の移動によって、ボーデンケーブルコアおよびボーデンケーブルカバーの間で達成することができる。そのため、アクチュエータの応用領域は非常に多く、決定的に列挙することができない。
【００５６】
ハウジングは、ハウジングシェルを有するのが好ましく、ここには、たとえば、作動手段の為の収納部および／または電気駆動装置、一つ又は複数のマイクロスイッチ、プラグソケットを組み込むことができ、あるいは、収容可能である。もちろん、ハウジングシェルが複数部品方式で形成され、ハウジングカバーと相互作用することも考えられる。さらに、ハウジングカバーは、たとえば、その生産または装着が必要とする場合には、複数部品方式で設計することもできる。
【００５７】
作動手段は、スピンドル駆動装置と相互作業し、それによって、スピンドルナットは、スピンドル上で案内可能な作動手段の一部でもよい。スピンドル駆動装置自身は、伝達レベルまたはウォームギアと共に、少なくともスピンドルに関して一体的に形成可能である。ウォームギアは、ウォームと相互作用することができ、ウォームは、たとえば、電気駆動装置の車軸に直接収容される。
【００５８】
スピンドルまたはスピンドルおよびウォームギアの組合せの少なくとも支持点は、ハウジングの凹部に有利な方式で格納される。挿入および／またはスピンドルおよび作動手段の後にスピンドルを軸方向に移動できるように、ハウジング、特に、ハウジングシェルが形成される。換言すると、ハウジングシェルにスピンドルを挿入した後、スピンドルの収納部を凹部に挿入または導入する為にスピンドルの軸方向の移動が可能である。同時に、スピンドルを凹部に移動させることによって、スピンドルはその端部位置に移動することができ、支持点における凹部内の端部位置に到達すると、ウォームギアおよびウォームは、最適係合比になる。これは、凹部にスピンドルを収納する別の利点を強調するが、すなわち、ウォームおよびウォームギアの間の係合比は、ハウジング内にスピンドルを固定収納することによって安定化させることができる。そのため、アクチュエータの最大負荷の場合であっても、ウォームおよびウォームギアの間の安全な相互作用を確実にすることができる。
【００５９】
本発明の有利な実施形態において、スピンドルは、少なくとも一つの収納部がベアリングスリーブを有する、２つの収納部をハウジング内に有する。ベアリングスリーブは、アクチュエータ内にスピンドルを正確に収納する為に追加の安全装置を可能にするという利点を提供する。製造許容誤差により、スピンドルおよび凹部の間に遊びが生じる場合、別個に生産されるベアリングスリーブは、より高い製造誤差を有するので、支持点を安定化することができる。これは、スピンドルおよび／またはハウジングがプラスチックでできているとき、特に利点を提供する。
【００６０】
少なくとも一つのベアリングスリーブをスピンドルに付けることができる場合、すなわち、捩りに抵抗力があるようにスピンドル上に配置される場合にも有利である。ベアリングスリーブをスピンドルに固定することによって、スピンドルを装着する前に、ベアリングスリーブをハウジング内に装着することができる。そのようにすることによって、スピンドルに対してベアリングスリーブを正確に固定することが実現可能であり、これは、プラスチック製であることが多いスピンドルの製造公差の排除を可能にする。好ましくは、ベアリングスリーブは、スピンドルにしっかりと連結されている。ここで、ベアリングスリーブは、非積極的に、形状適合させて、さらに／またはしっかりと接着された方法でスピンドルに連結することができる。固定された方法に拘わらず、ベアリングスリーブは、捩りに抵抗力があるように、すなわち、固定されるようにスピンドルに連結されるので、ベアリングスリーブは、アクチュエータ内でスピンドルと共に回転する。
【００６１】
ベアリングスリーブが、スピンドルおよび／またはハウジングの材料より高い強度を有する材料から作られる場合、これにより、本発明の更に有利な実施形態が生じる。アクチュエータのハウジングおよびスピンドルは、プラスチックで作られるのが好ましい。ベアリングスリーブは、他方で、スピンドルおよび／またはハウジングより高い強度値を有する材料を有する。ベアリングスリーブは、金属材料、特に、鋼材で作られるのが好ましい。金属材料の選択は、高い操作上の安全性と低い摩擦値で確実な位置決めを提供することを可能にし、それによって、一方では操作上の安全性を高め、他方で、アクチュエータのスピンドルの移動を容易にする。
【００６２】
ベアリングスリーブは、有利な方法で、本発明の更なる実施形態において、領域毎に少なくとも設計されるので、ベアリングスリーブは、少なくとも領域毎に少なくともテーパ付けされた径を有する。円錐または少なくとも領域毎に円錐形状のベアリングスリーブは、一方では、ハウジング内のスピンドルの容易な装着を達成し、それによって、円錐領域は、たとえば、ガイド補助器具として機能し得る。さらに、ベアリングスリーブの幾何学的設計は、ハウジング内のスピンドルの位置決めを安定化させることができる。たとえば、ベアリングスリーブおよび／または凹部が、円錐状に形成される場合、スピンドルの正確な位置決めが、作動手段およびウォームギアに対して確立できる。
【００６３】
ベアリングスリーブが、スピンドルの軸方向に、ハウジング内のスピンドルの接触表面に向かって、直径にテーパが付けられる場合、これにより、本発明の更なる実施形態が生じる。ベアリングスリーブにテーパを付けることによって、ベアリングスリーブの接触表面、すなわち、ハウジングに対するスピンドルの軸方向端部の接触表面を軸方向に減少させることができる。減じられた接触表面は、特に、ベアリングスリーブの領域内の支持点間の摩擦値の減少をもたらす。これは、スピンドルの移動容易性を高める。ベアリングスリーブは、有利な方法で、スピンドルを横切る第１円筒領域と、直径部でテーパが付けられる第２領域とを有することができるが、第２領域は、スピンドルを超えて突出している。たとえば、スピンドルの端部が、円筒状に形成される場合、円筒領域を有するベアリングスリーブをスピンドルの真上に置き、スピンドルに連結することができる。スピンドル端部を超えて突き出るベアリングスリーブの領域は、テーパ付き直径部を有するので、先細のように説明できるベアリングスリーブの端部が存在する。スピンドルを超えて突き出たテーパ付けされた端部は、円錐状の拡張部と呼ぶことも可能である。ベアリングスリーブの軸方向端部に小さな直径があり、これが、ハウジング内の接触表面と接触するので、一方では、ハウジング内のスピンドルの安定化が可能であり、他方では、スリーブが軸方向接触表面に付けられる場合、最小の接触表面が達成できる。
【００６４】
有利な実施形態において、スピンドルまたはスピンドルによって駆動される作動手段は、摺動要素として機能し、それによって、ボーデンケーブルカバーは、摺動要素によって移動可能である。スピンドルおよびベアリングスリーブがボーデンケーブルコアの為の通路開口部を有する場合、ボーデンケーブルコアおよびボーデンケーブルカバーの間の相対移動を有利な方式で生み出すことができる。スピンドル、作動手段、ベアリングスリーブは、通路開口部を有するので、ボーデンケーブルコアは、アクチュエータを通って自由に移動できる。したがって、この実施形態において、アクチュエータは、ボーデンケーブルカバーおよびボーデンケーブルコアの間に相対移動を作るのに役立つ。ここで、アクチュエータは、ボーデンケーブルに組み込まれ、それによって、たとえば、ボーデンケーブルカバーの一部を、たとえば圧入形式でアクチュエータにしっかりと連結することができ、ボーデンケーブルカバーの第２部品を、アクチュエータの作動手段にしっかりと連結することができるので、作動手段が移動するとき、ボーデンケーブルカバーの２つの部品を互いに対して移動させることができる。
【００６５】
少なくとも一つの支持点の停止表面またはスピンドルの収納部が、ハウジングカバーから少なくとも領域毎に形成される場合、これにより、本発明の更なる実施形態が生じる。ハウジングカバーは、一方ではスピンドルを固定することができ、他方では、スピンドルまたはベアリングスリーブの為に停止表面を提供することができる。ここで、たとえば、ハウジングカバーは、凹部で作動手段と係合することができ、したがって、アクチュエータのハウジング内に、作動手段の内側に収容されたスピンドルを固定することができる。この例示的実施形態において、テーパ付けされたベアリングスリーブは、有利な方式でハウジングカバーと相互作用することができ、ベアリングスリーブまたはテーパ付けされた支持点の小さな直径は、ハウジングカバー内の停止領域で、可能な限り最小の直径で付けられるにすぎない。操作上の安全性および移動容易性が、本発明による手段によって改善される。
【図面の簡単な説明】
【００６６】
【図１】図１は、ロック、昨日ユニット、例示的に示された作動レバーの場所を有する自動車の為のロック装置の側面図である。
【図２】図２は、ロック、昨日ユニットの代替え実施形態、基本的に例示された作動レバーからなるロック装置の基本図である。
【図３】図３は、作動レバー、ボーデンケーブル、機能ユニット、ロックを備えたロック装置の配置の基本図である。
【図４】図４は、ボーデンケーブルに挿入された作動モジュールの一部として、ハウジングカバーがなく、密封キャップのないアクチュエータの三次元図である。
【図５】図５は、密封キャップを有するアクチュエータのハウジング内の開口部の詳細図であり、密封キャップは、バヨネット嵌合によってハウジングに連結されている。
【図６】図６は、作動手段が密封キャップ内に案内され、ボーデンケーブルカバーが作動手段に付けられたハウジングの上面図における、図２に従う密封キャップの別の図である。
【図７】図７は、ハウジングカバーがなく、密封キャップおよびボーデンケーブルが作動手段に付けられたアクチュエータの側面図である。
【図８】図８は、密封キャップおよび作動手段に配置されたベローズを備えたハウジング内の密封キャップの配置を有する図４のＶ−Ｖ線に沿った断面図である。
【図９】図９は、ベローズを備えたアクチュエータの三次元図である。
【図１０】図１０は、作動手段の為にハウジングシェルに挿入されたスピンドル駆動装置および電気駆動装置を備えたアクチュエータの三次元図である。
【図１１】図１１は、ハウジングに部分的に挿入されたスピンドル駆動装置を備えた図１のＩＩ−ＩＩ線に沿った断面である。
【図１２】図１２は、スピンドル駆動装置と共にハウジングシェルに挿入された伝達装置を備えたアクチュエータに向かって図１の矢印ＩＩＩの方向からの図である。
【図１３】図１３は、作動手段の開口部内のスピンドルの軸方向端部上のベアリングスリーブの詳細図である。
【図１４】図１４は、アクチュエータの装着状態において、ベアリングスリーブの為の接触表面を備えたスピンドルの軸方向端部上のベアリングスリーブの別の図である。
【詳細な説明】
【００６７】
図１には、ロック装置１の上面図が、基本図および部分断面図において、再現されている。ロック装置１は、ロック２、機能ユニット３、作動レバー４、二部構成ボーデンケーブル５，６を有する。ロック７の内側には、レバー８が、軸９を中心として旋回できるように収容されている。レバー８は、点線で図示されたレバー８’を用いて基本的に図示されるように、ボーデンケーブルコア１０を使用して、軸９を中心として旋回できる。
【００６８】
ボーデンケーブルコアを作動させるため、たとえば、自動車の内側の作動レバー１１を作動させること、たとえば、旋回させることができる。作動レバー１１が作動されると、作動レバー１１は、作動位置１１’に到達することができる。
【００６９】
機能ユニット３は、電気モータ１２を有し、電気モータは、プラグソケット１３を経て、接触可能であり、プラグソケット１３を経て制御可能である。電気モータ１２は、電気駆動装置１４の一部であり、これを用いて、スピンドル１６が、ウォーム伝達装置１５を経て駆動可能になる。スライダ１７は、スピンドル上に配置され、スライダ１７は、電気駆動装置１４によって長手方向に収容されている。ボーデンケーブルカバー１８は、スライダ１７によって移動可能であり、ボーデンケーブルコア１０およびボーデンケーブルカバー１８の間の相対移動は、スライダ１７によって達成できる。ボーデンケーブルカバー１８およびボーデンケーブルコア１０の間の相対移動を生じさせるため、スライダは、ロック２に向かって、すなわち、矢印Ｐ１の方向に移動する。
【００７０】
制動レバー２１は、機能ユニット３の内側の軸２０を中心として旋回できるように配置されている。制動レバー２１は、一端に接触表面２２を有し、接触表面２２は、スライダ１７と係合するように作ることができる。スライダ１７は、接触表面２２と協働する制御外形部２３を有する。スライダ１７、特に、制御外形部２３は、スライダ１７が電気駆動装置１４によって矢印Ｐ２に向かって移動すると、接触表面２２と係合し、それによるスライダおよび制動レバー２１の間の係合状況は、図１に再現されている。このように、ボーデンケーブルコア１０の為の制動位置、または制動状況が再現される。
【００７１】
制動レバー２１の端部のうち接触表面２２の反対側の一端には制動表面２４が配置され、制動表面２４は、たとえば、摩擦ライニングによって、ボーデンケーブルコア１０と直接または間接に係合するように作ることができる。ここで、制動表面２４は、たとえば、機能ユニット３のハウジング２６から形成されるカウンタベアリング２５と相互作用する。
【００７２】
図１が、ボーデンケーブルコア１０が機能ユニット３によって制動可能な制動状況を図示する場合、スライダ１７が矢印Ｐ１に向かって移動すると、制動レバー２１がボーデンケーブルコア１０と係合解除され、ボーデンケーブルカバー１８内でボーデンケーブルコア１０が自由に移動できる限り係合解除されることは言うまでもない。この例示的実施形態では、バネによって、制動レバー２１を反時計廻りに付勢することができる。制動レバー２１がボーデンケーブルコアから係合解除されると、ボーデンケーブル１８も付勢されず、すなわち、レバー８および作動レバー１１は、初期位置にあることも自明である。したがって、この初期位置から、矢印Ｐ１に向かってスライダ１７を作動させることによってレバー８を作動可能にするか、矢印Ｐ２に向かってスライダを移動させることによって制動レバー２１を作動可能にすることができる。制動レバー２１は、たとえば、自動車内のセンサによって作動可能であり、センサは、たとえば、自動車の近傍の障害を検出する。ボーデンケーブルコア１０の制動部は、作動レバー１１の作動が衝突に至る可能性があることを自動車の運転者にハプティック信号を送る。しかしながら、制動レバー２１は、緊急事態において、作動レバー１１が制動レバー２１の力を超えて作動可能であるように設計されているにすぎないことが常に起こり得る。
【００７３】
代替制動装置を備えた機能ユニット３の更なる実施形態が、図２の実施例として再現されている。例示的実施形態において、制動ユニット２７は、ロッカーアーム２８と、たとえば、長手方向に収容された円柱ピン２９とから構成される。図１に従う同一のコンポーネントは、同一の参照符合によって表示されている。スライダ３０は、ボーデンケーブル１８が、制御可能であり、移動可能であるように、移動自在に機能ユニット３内に格納されている。初期位置Ａから始まり、スライダ３０は、ボーデンケーブルコア１８を作動させる為に矢印Ｐ１に向かって移動可能であり、ボーデンケーブルコア１０およびボーデンケーブルカバー１８の間で相対移動を達成することができる。この移動によって、スライダは、図２に図示された作動位置Ｂに達する。初期位置Ａから始まり、スライダ３０は、円柱ピン２９を移動させる為に矢印Ｐ２に向かい、カウンタベアリング２５に対するボーデンケーブルコア１０の制動を可能にする為に、ロッカーアーム２８に向かって移動できる。その後、スライダ３０は、制動位置ＡＢに達する。制動後、スライダ３０は、電気駆動装置１４によって初期位置Ａまで移動する。円柱ピン２９も、バネ要素３０によって初期位置まで戻り、ロッカーアーム２８は、ボーデンケーブルコア１０を解除する。
【００７４】
第１実施形態
【００７５】
ロック装置１が、図３の基本図に再現されている。ロック装置は、作動レバー４，ボーデンケーブル５，６，機能ユニット３，ロック２を有する。たとえば、内側作動レバーでもよい作動レバー４によって、レバー８は、ボーデンケーブルコア１０を経て、ロック２内で旋回できる。
【００７６】
ボーデンケーブル５，６、特に、ボーデンケーブルカバー８，９は、２つの部品に分離され、ボーデンケーブルカバー６の第１部品と、ボーデンケーブルカバー５の第２部品とから成る。ボーデンケーブルカバー６の第１部品は、一側面、たとえば、自動車ドア３１の内側にしっかりと収容され、他方で、機能ユニット３のハウジング２６内にしっかりと収容されている。ボーデンケーブルカバー５の第２部品は、ロックハウジング１３内の一側面にしっかりと収容され、機能ユニット３のハウジング２６内のガイド部３３内で反対側面に長手方向に保持されている。機能ユニット３は、モータ１２，ウォーム伝達装置１５，スピンドル伝達装置１６，スライダ１７，マイクロスイッチ形式の検出手段３４、電気的接触の為のプラグソケット１３を有する。スピンドル伝達装置３８のスライダ１７の為の停止バッファ（Stop buffers）３５も明らかである。
【００７７】
作動レバー１１が矢印Ｐ２に向かって移動すると、作動レバー４は、ピストン行程Ｈの後に作動レバー１１の点線位置に達する。明らかなように、小さなピストン行程ｈのみが、作動レバーによって発生される。図示されていない検出手段は、制御信号を機能ユニット３に転送できるように、作動レバー１１の移動を検出する。ウォームギアは、電気駆動装置１２によって制御され、それによって、ウォーム伝達装置１５は、この例示的実施形態において、スピンドル伝達装置のスピンドル１６と一体的に（as one piece）設計されている。伝達装置１５の移動により、スライダ１７は図３のロック２に向かって左に移動するので、ボーデンケーブルカバー５の第２部品に力を作用させることができる。ここで、スライダ１７は、ボーデンケーブルカバー５の第２部品に寄りかかり、スライダ１７を移動させることによってボーデンケーブル５，６の相対的長さを伸ばし、これが、ボーデンケーブルコア３６，３７の両端部の相対的長さの短縮をもたらす。実線で示された位置にある作動レバー４は、固定された停止部に嵌合することから、ボーデンケーブルコア１０の自由端３７は、ボーデンケーブル５，６内に引き込まれ、それが、今度は、点線位置までレバー８の移動をもたらす。機能ユニット３のハウジング２６内のスライダ１７の移動は、ガイド部３３に沿って起こり、それによって、ピストン行程Ｈが、スライダ１７の移動の為に利用可能になる。ピストン行程Ｈは、ピストン行程ｈより非常に大きいので、ピストン行程Ｈ，すなわち、レバー８の作動を可能にするには、機能ユニット３の初期化（initialization）だけが作動レバー４によって行われればよい。マイクロスイッチ３４は、スライダ１７の制御湾曲部に付けられ、スライダの場所を評価する為に使用可能である。
【００７８】
ここで図示された実施例は、ロックに向かって移動可能、したがって、ボーデンケーブルカバー５，６の第２部品に寄りかかるスライダ１７のみを示すことに留意されたい。たとえば、他のスピンドル１６が、ボーデンケーブルカバーの第１部品の方向に配置されたウォームギアに配置され、更に、対応したスライダ１７も、そこに配置される場合、ボーデンケーブルコア１０に関するボーデンケーブルの相対移動の変位は、両方向で可能になる。検出手段が作動レバー４の移動を検出し、その後、制御信号を機能ユニットに転送するまで作動レバー４を作動させるだけでよいという点で、これは、運転者にとって有利である。
【００７９】
第２実施形態
【００８０】
図４は、作動手段または作動モジュールまたは開錠モジュールとしての実施形態におけるアクチュエータ４１の三次元図を図示する。ここで、アクチュエータは、ボーデンケーブル４２，４３の間に挿入され、ここで、ボーデンケーブルカバーの第１部品４２は、アクチュエータのハウジング４４にしっかりと連結され、ボーデンケーブル４３の第２部品は、作動手段４５に固定されている。ボーデンケーブルコア４６は、アクチュエータ４１によって自由に案内可能である。
【００８１】
アクチュエータ４１は、ハウジング４４を有し、この中に、電気モータ４７と，第１ウォーム伝達装置４８と，ウォームギアと一体的に形成されたスピンドル駆動装置９とが配置されている。スピンドル５０において、作動手段４５は、ハウジング４４内で直線に案内可能であるように配置されている。作動手段４５は、エンドストップ５１と相互作用し、これが、ハウジング４４内への作動手段５０の移動を制限する。エンドストップは、熱可塑性ゴムダンパとして形成されるのが好ましい。マイクロスイッチ５２は、作動手段４５と相互作用し続け、それによって、マイクロスイッチ５２と電気モータ４７は、プラグソケット５３を経て制御可能になり、電力が供給可能になる。
【００８２】
囲んでいるハウジングカバーシール５５は、ハウジング４４の平坦表面５４の中に挿入される。したがって、平坦表面は、ハウジングを密封する為に、特に、図示されていないハウジングカバーを装着する為に利用可能である。
【００８３】
また、ハウジング４４は、開口部５６を有し、この開口部を通って、アクチュエータ４１の外に作動手段４５を移動できる。シール５７は開口部５６を囲む円形に配置され、これが、形状適合し、しっかりと結合され、さらに／または非積極的にハウジング４４に連結されている。
【００８４】
この実施形態において、アクチュエータは、ボーデンケーブル４２，４３の為の作動モジュールとして形成されている。たとえば、電気駆動装置４７が制御信号を経て制御される場合、作動手段４５はウォーム伝達装置４８およびスピンドル駆動装置４９によって作動され、作動手段４５は、アクチュエータ４１のハウジング４４から、図４に示される位置に移動可能になる。作動手段４５の移動によって、ボーデンケーブル４３の一部が、ボーデンケーブルコア４６に対して移動するので、ボーデンケーブルコアに連結されたレバーまたはコンポーネントを移動させることができる。
【００８５】
ハウジング４４の開口部５６の詳細図が図５に再現されている。この図は、密封キャップ５８を示すが、密封キャップ５８は、ロックバー５９によってハウジング４４に連結されている。また、開口部５６は、ロックバー５９をハウジング４４の中に挿入する為の収容開口部６０，６１を有する。作動手段４５は、密封キャップ５８に案内されて収容されるが、これも明らかである。リングナット６２も密封キャップ５８に見られるが、これは、シーラントを収容する為に使用される。スピンドル１０の支持点も明らかである。密封キャップ５８は、ハウジング４４に固定された位置で再現されている。
【００８６】
ハウジング４４内の配置に関する密封キャップ５８の図は、図６に再現されている。密封キャップ５８の周辺に対して対称的に拡張するバー６３が見られる。バー６３は、密封キャップが手動で装着されることを可能にする。密封キャップ５８もハウジング４４に形状適合するように付けられることも自明である。特に、リングバー６４は、ハウジングに形成され、これは、密封キャップの形状適合した組付けを可能にする。
【００８７】
図７は、アクチュエータ４１の側面図およびプラグソケット５３の図を図示する。アクチュエータ４１は、ボーデンケーブル４２，４３に一体化され、それによって、仮想の第１レベルＥ１は、ボーデンケーブル４２，４３に沿って拡張する。平坦表面５４は、第２レベルＥ２において第１レベルＥ１に対して配置されている。ボーデンケーブルの第１部品２から始まり、第２レベルＥ２は、第１レベルＥ１に対する角度Ｗにオフセットされるように配置されている。接触表面がハウジング４４上の密封キャップ５８の為に形成できるように角度Ｗを選択することができる。さらに、第２レベルＥ２も、ハウジングカバーを収容するように平坦表面５４を形成する。
【００８８】
図７のＶ−Ｖ線に沿った断面図が、図８に再現されている。ベローズ６５は、密封キャップ５８のリングナット６２に挿入され、それによって、他の端部６６が作動手段４５のリングナット６７に挿入される。ボーデンケーブル４３の、作動手段４５内の固定も明らかである。作動手段４５は、ハウジング４４に引き込まれる又は移動される位置に図示されており、ベローズ６５は、収縮された位置で再現されている。
【００８９】
図９は、アクチュエータ４１がボーデンケーブル４２，４３に挿入された組立図を示す。アクチュエータ４１に関するベローズ６５の位置も明らかである。
【００９０】
第３実施形態
【００９１】
図１０は、電気駆動装置７２，伝達レベル７３，伝達レベル７３と一体的に形成されたスピンドル７４、作動手段７５，ボーデンケーブルカバー７６を備えた自動車の為のアクチュエータ７１の三次元図を示し、それによって、作動手段７５は、アクチュエータ７１のハウジング７８の開口部７７を通って装着可能である。この図は、一方では、作動手段７５がスピンドル７４に連結され、あるいは、スピンドル７４は、作動手段７５に挿入され、装着位置に達するように開口部７７を通って挿入される作動手段７５が示されている。
【００９２】
電気駆動装置７２は、ウォームギア８０と相互作用するウォーム７９を有する。ウォームギア８０は、伝達レベル７３の一部として、プラスチックで作られ、この実施形態では、スピンドル７４と一体的に形成されている。ベアリングスリーブ８３，８４は、スピンドル７４の軸方向端部８１，８２で、各々のケース内に装着されている。作動手段７５もガイド手段８５，８６を有し、ガイド手段８５，８６を経て、軸方向に作動手段７５をハウジング７８に案内することができる。
【００９３】
ここではハウジングシェル８７のみが示されたハウジング７８には、凹部８８が成形されており、その中に、スピンドルの軸方向端部８２にあるベアリングスリーブ８４を挿入することができる。
【００９４】
図示されていないハウジングカバーは、装着表面８９上に配置可能であり、ネジ開口部９０またはクリップ接続部９１によってハウジングシェル８７にしっかりと連結することができる。マイクロスイッチおよび電気駆動装置７２の電気的接触の為のプラグソケットも明らかである。
【００９５】
図１１は、図１０のＩＩ−ＩＩ線に沿った、ハウジングシェル８７またはハウジング７８を通る断面を図示する。Ｌ線に沿って図示された断面は、スピンドル７４の軸の中心を通過し、それによって、Ｌ線は、アクチュエータ７１内側のボーデンケーブルコアの場所を反映する。Ｌ線に沿って伸びるボーデンケーブルコアは、図示された実施形態では、アクチュエータ７１によってアクチュエータ７１を通って自由に移動できる。ボーデンケーブルは、たとえば、ハウジングシェル８７の拡張部８４内に、圧入によって固定できる。
【００９６】
スピンドル７４の装着位置に達するため、スピンドルは、ハウジングシェル８７の凹部８８内で、矢印Ｐ３に向かって摺動されなければならない。スピンドル７４は、接触表面９５が凹部８８の軸方向端部に達するときだけ、最終装着位置に達する。装着位置において、ベアリングスリーブは、凹部７８内に完全に着座し、それによって、ベアリングスリーブは、接触表面９５に対して軸方向に到達する。スピンドル７４が最終装着位置に達していないことは、ウォームギア８０がウォーム７９の中央上方に依然として置かれないという点からも分かる。
【００９７】
図１２は、スピンドルまたはウォームギア８０が装着位置に置かれた、ハウジングシェル８７に向かう矢印ＩＩＩの方向からの図を示す。装着位置の到達または装着位置も、作動手段７５がハウジングシェル８７内のエンドストップ９６に適合する点からも分かる。スピンドル７４の軸方向端部８２は、ハウジングシェル７７の凹部７８に挿入または完全に収容される。
【００９８】
ハウジングシェル内の作動手段７５の装着位置は、図１３に再現されている。さらに、図１３は、ベアリングスリーブ８３の概略的に図示された実施形態と共に、スピンドル７４の軸方向端部８１を通る概略的断面を示す。ベアリングスリーブ８３は、スピンドル７４の軸方向端部８１を全体的に包囲するが、軸方向端部に円錐状拡張部を有し、これは、小さな直径ｄで終わっている。ここで、直径ｄは、スピンドル端部８１の領域におけるベアリングスリーブ８３の拡張直径Ｄより小さい。それは、先が尖った形状を有する、このベアリングスリーブ８３によって、ベアリングスリーブ８３は、ハウジングの接触表面上の小さな直径ｄと共に接触するにすぎない。これが提供する利点は、低い摩擦値が克服されること、そのため、アクチュエータ７１のハウジング７８内部にスピンドル７４を簡単に収納できることである。
【００９９】
ベアリングスリーブ８３は、アクチュエータ７１内の、その装着位置において、図１４に再現されている。ハウジング７８内のスピンドル７４の最終的収納または固定の為に、ベアリングスリーブ８３は、図示されていないハウジングカバーによって、アクチュエータ７１内に固定される。ここで、ベアリングスリーブ８３の先が尖った端部９７は、接触表面９８と接触するようになる。本発明によるスピンドル７４の、アクチュエータ内への収容により、スピンドルの高レベルの操作上の安全性、長い耐用年数および容易な移動を実現することができる。
【０１００】
[図１〜図３の為の参照符合リスト]
【０１０１】
1…ロック装置、 2…ロック、3…機能ユニット、4…作動レバー、5, 6…ボーデンケーブル、7…ロック内部、8, 8'…レバー、9…軸、10…ボーデンケーブルコア、11, 11'…作動レバー、12…電気モータ、13…プラグソケット、14…電気駆動装置、15…ウォームギア、16…スピンドル、17, 30…スライダ、18…ボーデンケーブルカバー、19…機能ユニット内部、20…軸、21…ブレーキレバー、22…接触表面、23…制御外形部、24…ブレーキ表面、25…カウンタベアリング、26…ハウジング、27…ブレーキユニット、28…ロッカーアーム、29…円柱ピン、30…バネ、31…自動車ドア、32…ロック用ハウジング、33…ガイド、34…検出手段、35…停止バッファ、36, 37…ボーデンケーブルコアの端部、38…スピンドル伝達装置、P1, P2…矢印、A …初期位置、B …作動位置、AB …制動位置、h, H…ハブ。
【０１０２】
[図４〜図９の為の参照符合リスト]
【０１０３】
41…アクチュエータ、42, 43…ボーデンケーブル、44…ハウジング、45…アクチュエータ、46…ボーデンケーブルコア、47…電気モータ、48…ウォーム伝達装置、49…スピンドル駆動装置、50…スピンドル、51…エンドストップ、52…マイクロスイッチ、53…プラグソケット、54…平坦表面、55…ハウジングカバーシール、56…開口部、57…シール、58…密封キャップ、59…ロックバー、60, 61…収容開口部、62…リングナット、63…バー、64…リングバー、65…ベローズ、66…ベローズの端部、67…リングバー、E1…第１レベル、E2…第２レベル、W…角度。
【０１０４】
[図１０〜図１４の為の参照符合リスト]
【０１０５】
71…アクチュエータ、72…電気駆動装置、73…伝達レベル、74…スピンドル、75…作動手段、76…ボーデンケーブルカバー、77…開口部、78…ハウジング79…ウォーム、80…ウォームギア、81, 82…軸方向端部、83, 84…ベアリングスリーブ、85, 86…ガイド手段、87…ハウジングシェル、88…凹部、89…装着表面、90…ネジ開口部、91…クリップ接続部、92…プラグソケット、93…マイクロスイッチ、94…拡張部、95, 98…接触表面、96…エンドストップ、97…先が尖った端部、P3…矢印、L…線、d, D…直径。
【図１】
2019533105.tif 000003
【図２】
2019533105.tif 000004
【図３】
2019533105.tif 000005
【図４】
2019533105.tif 000006
【図５】
2019533105.tif 000007
【図６】
2019533105.tif 000008
【図７】
2019533105.tif 000009
【図８】
2019533105.tif 000010
【図９】
2019533105.tif 000011
【図１０】
2019533105.tif 000012
【図１１】
2019533105.tif 000013
【図１２】
2019533105.tif 000014
【図１３】
2019533105.tif 000015
【図１４】
2019533105.tif 000016
【国際調査報告】
2019533105.tif 000017
2019533105.tif 000018
2019533105.tif 000019
2019533105.tif 000020
2019533105.tif 000021
2019533105.tif 000022
2019533105.tif 000023
2019533105.tif 000024
2019533105.tif 000025
2019533105.tif 000026